(57)【要約】      （修正有）【課題】付着性の高い刈草や刈茎の回転刃部への絡みつきをなくすことが出来、排出性能を高めることができる草刈機を提供する。【解決手段】刈草又は刈茎などを払い出し又は払いのけるスターホイール状の排出促進板において、その板面の刈草又は刈茎の当接する部分に、打ち抜き、圧力成形、剪断などの加工を施し、凹凸面又は起伏面にした。【選択図】図１
2015195753.tif 000002
【特許請求の範囲】
【請求項１】
回転する刈刃に重ね合わせて、又は搬送用駆動回転軸に同期回転して使用される、刈草又は刈茎などを払い出し又は払いのけるスターホイール状の排出促進板において、該板面の刈草又は刈茎の当接する部分に、打ち抜き、圧力成形、剪断などの加工を施し、凹凸面又は起伏面にしたことを特徴とするスターホイール状の刈草又は刈茎などの排出促進板。
【請求項２】
エンジン又はモータ等の原動機を搭載し回転刈刃と走行駆動輪とを駆動する、車輪が三輪以上の自立自走式の草刈機で、棒状の刃を十字状に、又は多重クロス状に構成した回転刈刃と、刈草排出促進板２３と、刈刃押さえキャップ２１４と、刈草飛散防止カバー２２との主要部品を重ね合わせて構成した刈取部２の二つを、略走行面上に、機体進行方向略真横に並べ、刈刃が機体左右方向の外側から機体内側略中央部の同一面内で、回転が重なるように、即ち互いの棒状の刃がぶつからないように回転位相差角を保ちつつ、同期しながら、歯車のようにクロスラウンド状に回転させるよう設けた草刈機において、該刈草排出促進板２３を前記請求項１に記載するスターホイール状の排出促進板を使用したことを特徴とする草刈り機。
【発明の詳細な説明】
【技術分野】
【０００１】
本発明は一般向け汎用の草刈機で、刈草の排出処理をより向上させることで、草刈作業能率を従来より更に高めるようにした技術に関するものである。
【背景技術】
【０００２】
スターホイールとよばれる農業機械に使用される機能構成部品には大旨二通りの使い方がある。一つは刈取茎や苗茎などの整列搬送用に茎を束ねる働きをするもの（特許文献４、特許文献５）と、もう一つは刈草や排茎などの排出効果を上げるため、刈刃や切断刃などに同期して回転させ、切断後即排出させる働きをするもの（特許文献３、特許文献６）、とがあり形状はかなり以前から成熟していた。本願は後者の部類に属し、主に草刈機の刈草の排出、排茎切断機の排茎排出、などの排出性能を高めるためのものであり、従来からそれ以上変えようがないとみられていたこの構成部品に着目し、一からの見直しに挑戦し画期的改良を施した技術に関するものである。
【特許文献１】特願２０１４−０３４７６９
【特許文献２】特開平１１−９０５１
【特許文献３】特開２００１−３７３２２
【特許文献４】特開平０８−２４２６６０
【特許文献５】特開平０５−１５３８１２
【特許文献６】特開２０１３−１８３７１０
【発明の開示】
【発明が解決しようとする課題】
【０００３】
スターホイールは排出補助用としてしか見られていなかったため、従来から星形突起部の形状、星形突起の数、外周径、などにしか発明の工夫が見られず、形状も技術的に成熟しているものと見られていた。本出願人は先に、刈払機並に手軽に安く、それでいて誰でも、高齢者や婦女子でも楽にそして安全に使える、時代の要請に応える新しいタイプの草刈機を発明、製品化した（特許文献１）。草刈作業方式については本出願人発明のクロスラウンド刈り方式で全草種、全草幹などあらゆる草刈条件で完成度の高い草刈り機を提供することができた。しかしながら刈り取りにおいてはほぼ完璧なものの、刈草の排出処理についてはまだ改良の余地があった。湿った草、薄く柔らかい草など、草種によっては回転刃部への絡みつきがまだ見られるものがあった。そこで更なる改良のため、この草種による絡みつきを丹念に試験観察したところ、刈草の絡みつきというよりは回転刃部への付着している状況を発見した。特にスターホイール、即ち本願の排出促進板２３への付着が高い割合で見られた。本願はこれに着目し、既に成熟している機能構成部品としてそれ以上変えようがないと考えられていたスターホイール、即ち本願の排出促進板２３に着目し、成熟構成部品の再度一からの見直しに挑戦し、刈草排出性能を飛躍的に向上させることを目的とする。
【課題を解決するための手段】
【０００４】
上記課題を解決するために本発明において講じた手段は、刈草又は刈茎などを払い出し又は払いのけるスターホイール状の排出促進板において、その板面の刈草又は刈茎の当接する部分に、打ち抜き、圧力成形、剪断などの加工を施し、元の平坦面から凹凸面又は起伏面に加工を施した。
【発明の効果】
【０００５】
本発明は上記手段を施したことにより以下の効果を有する。
【０００６】
従来平坦だった板面を凹凸面にしたことにより、付着性の高い刈草や刈茎が板面に付着することはほとんどなくなると共に、凹凸面部分及びそのエッジ部分が星形突起のエッジ部分と同様な払いのける効果を奏し、絡みつきをほぼ完全になくすことが出来、排出性能が飛躍的に高まる。
【発明を実施するための最良の形態】
【０００７】
板面を凹凸面にするだけなら別部品（例えばねじ）を簡単に取り付けてもよい、しかし異物の装着はかえって絡みつきの要因になる。また凹凸も回転刃の回転方向に極度の抵抗にならないよう形成することが必要である。
【実施例１】
【０００８】
本願発明の第一実施例を添付図面に基づいて説明する。図１は本願発明排出促進板２３
と刈刃２１の構成を示す。上図は上側から下図は下側から見た図である。刈刃２１は棒状の主ナイフと従ナイフを十文字状に排出促進板２３と回転芯を合わせネジ固定している。
回転方向は上図で反時計回りで、刈刃２１に対し排出促進板２３の回転位相は少し遅れ、刈刃２１で草が刈られた後即、排出促進板２３の星形突起エッジ部分で刈草を払いのけるように使用される。これは後述する草刈り機に使用されるもので左右一対で使用される内の右側（Ｒ）部分を示している。本願では星形外形形状だけでなく、板面部にも着目し第１実施例では星形突起部板側にその星形形状に沿って５角形のプレス打ち抜き穴を形成した。これにより付着性の高い刈草の絡みつきをほとんど無くすことが出来た。
【０００９】
図２に本願発明の第２実施例を示す。上図は圧力成形で凹凸溝を形成した第２実施例の排出促進板２６、である。第１実施例での板面部に着目したブレークスルーにより幾通りか試みたが、絡みつき防止効果としては第１実施例が最も高かった。二つの実施例とも板面加工により刈草の付着防止はもちろんであるが、凹凸面そのものが刈草を払いのける効果のあることも発見した。即ち従来は排出促進板２３の星形突起のエッジ部だけで刈草を払いのけていたのに対し、本願発明により星形突起板全体で払いのけるという、従来概念を根本的に変える画期的な排出促進板（スターホイール）に進化させることが出来た。
【００１０】
次にこの本願発明の排出促進板２３を実際に本出願人が先に発明した草刈り機（特許文献１）に使用した実施例を示す。図３は草刈機全体を示す右斜視図、図４は刈取部の草刈ガイドカバー４と右側刈取部の飛散防止カバー２２を外し刈刃２１Ｒと排出促進板２３Ｒを示した右斜視図、図５は正面下側から刈取部を見上げた図である。図は見やすくする為一部省略している。主構成はエンジン１と、左右（ＬＲ）一対の刈取部２、左右（ＬＲ）一対の駆動後輪３、走行ミッション５、刈刃および後輪駆動用カウンターミッション６、自走式機械として必要最小限にして軽量化を図っている。特にエンジン１の軸出力を主にドライブシャフトとベベルギヤとで（図省略）、左右（ＬＲ）一対の刈刃２１と走行ミッション５とに伝動するカウンターミッション６のパイプ状アルミハウジングは機体フレームと兼用しており、自走式機械ではあるが機体用シャシーや機体用フレームなど一切使用していない極めてシンプルな構成にしている。
【００１１】
駆動機構はエンジン１の軸出力をそのままカウンターミッション６に取り込み主にベベルギヤ（図省略）により回転軸方向変換し、一つは走行ミッション５へ、一つは刈取部左側２Ｌへ、一つは刈り取り部右側２Ｒへ、エンジン回転数そのまま伝達している。カウンターミッション６は１入力３出力のパイプハウジング状の機構で機体フレームも兼ねている。刈払機でのメインパイプを通した刈刃への出力を、メインパイプ出力を３つに分けて構成した格好になっている。ここで左右の刈取部２Ｌ、２Ｒは逆方向にそれぞれ機体外側から機体中央側に向けて同期回転する。（図４、図５）走行ミッション５はエンジン１の回転数を減速し駆動後輪３に出力している。
【００１２】
以上の草刈機の構成で草刈作業のメカニズムを図７で説明する。図は説明しやすいように平面透視図にしてある。前方草むらへまず草刈ガイドカバー４の本体４１の先端が当接し草を前方に押し倒す。その直後、刈刃部２１による刈り取りが始まる。草刈り効果を保つため草を刈る直前までは完全には倒さず、刈った直後に完全に水平に倒すようにカバー先端から刈取部に向かって傾斜を付けている。刈るとほぼ同時に刈草は刈刃部２１の排出促進板２３により機体中央部に回転排出される。飛散防止カバー２２上の排出促進バー２２１は排出されずに更に回り続けようとする刈草を止め、排出し、刈刃部２１への絡みつきを防止する。更に草刈ガイドカバー４後方部、角度位置調整固定された排出調整カバー４２から刈った後の刈草は整然と走行跡に排出される。
【００１３】
この間機体は進行している。これを機体を静止させて見た場合、前方から流れてくる草むらが草刈ガイドカバー４にシュレッダーのように吸い込まれ、刈られ、左右刈り刃２１Ｌ及び２１Ｒというロールを通して、粉砕ゴミのようにローリングして出て、左右排出促進バー２２１Ｌ、２２１Ｒ及び排出調整カバー４２で囲まれた排出口から、あたかも排出ダクトから出るように綺麗に揃って排出される。本出願人発明のクロスラウンド刈りである。
【００１４】
本願は出願人が先に発明した草刈機（特許文献１）で終わりとせず、常により良いものを世に供給したいとする技術探求から、業界では当たり前だった成熟部品であるスターホイールを、従来概念を根本的に変える画期的な機能構成部品に進化させることが出来たものである。この開発の排出促進板２３によりクロスラウンド刈りによる草刈り作業能率はさらに向上し、メインテナンスフリーに近いくらい誰にでも草刈り作業がしやすいものになった。
【００１５】
図８に棒状刃（ナイフ）を６文字状にした刈刃とその排出促進板で構成した第３実施例を示す。これも第１実施例と基本は同じである。
【産業上の利用可能性】
【００１６】
スターホイールが使用されるすべての農業機械に大きな技術革新をもたらす。
【図面の簡単な説明】
【００１７】
【図１】本願第１実施例の排出促進板を示す図である。
【図２】本願第２実施例の排出促進板を示す図である。
【図３】本願発明を使用した草刈り機を示す右斜視図である。
【図４】本願発明を使用した草刈り機を示す右斜視図である。
【図５】本願発明を使用した草刈り機の、前方を持ち上げて見た下視図である。
【図６】本願発明を使用した草刈り機の、左側（Ｌ）飛散防止カバーを示す斜視図である。
【図７】本願発明を使用した草刈り機の、草刈り作業の様子を説明するための平面透視図である。
【図８】本願第３実施例の排出促進板を示す図である。
【符号の説明】
【００１８】
１      エンジン
２      刈取部
２１    刈刃（主ナイフ、従ナイフ）
２２    飛散防止カバー
２２１  排出促進バー
２２２  飛散防止サイドカバー
２２３  サイドガードプレート
２３    排出促進板
２４    刈刃押さえキャップ
２５    刈刃ボルト
３      走行駆動輪
４      草刈ガイドカバー
４１    カバー本体
４１１  集草ガイド
４２    排出調整カバー
４３    カバー車輪
５      走行ミッション
６      カウンタミッション
６１    カウンターミッション刈取部出力部
【図１】
2015195753.tif 000003
【図２】
2015195753.tif 000004
【図３】
2015195753.tif 000005
【図４】
2015195753.tif 000006
【図５】
2015195753.tif 000007
【図６】
2015195753.tif 000008
【図７】
2015195753.tif 000009
【図８】
2015195753.tif 000010